(57)【要約】【課題】  被検体が台車枠のような複雑な溶接構造物であっても、ノイズや擬似信号の影響を低減することができ、経験の少ない検査員によっても容易かつ確実に傷等を判別でき、傷等の位置とその大きさ及び深さを容易かつ確実に求めることができる交流電磁場測定法による探傷検査装置及び方法を提供する。【解決手段】  交流磁場発生コイル１２、Ｂｘ測定コイル１３、Ｂｚ測定コイル１４、及び位置センサ１８を有する探傷プローブ１０と、探傷プローブに交流磁場を与え、磁束密度ＢｘとＢｚを出力する交流電磁場測定装置２０と、磁束密度ＢｘとＢｚをデータ解析して、被検体表面に存在する傷等の位置を検出するデータ解析装置３０とを備える。各コイルの位置誤差により生データを補正し、次いで平滑化処理と基準化処理したデータを作成し、これから原点Ｏから点（Ｂz、Ｂx）までの磁束密度ベクトルＢ（z，x）を設定し、このベクトルのベクトル積Ａを算出し、ベクトル積Ａが所定の閾値を超えるときに、傷等が存在すると判別する。【選択図】      図１
2006292496.tif 000002
【特許請求の範囲】
【請求項１】
被検体表面のｘ軸方向に交流磁場を与えこれに直交する被検体表面のｙ軸方向に交流誘導電流を発生させる交流磁場発生コイルと、前記交流誘導電流により発生するｘ軸方向の磁束密度Ｂｘを検出するＢｘ測定コイルと、前記交流誘導電流により発生するｚ軸方向の磁束密度Ｂｚを検出するＢｚ測定コイルと、被検体表面に沿ってデータポイントを検出する位置センサとを有する探傷プローブと、
該探傷プローブに交流磁場を与え、前記磁束密度ＢｘとＢｚを出力する交流電磁場測定装置と、
前記磁束密度ＢｘとＢｚをデータ解析して、被検体表面に存在する傷等の位置を検出するデータ解析装置と、を備えたことを特徴とする交流電磁場測定法による探傷検査装置。
【請求項２】
前記データ解析装置は、記憶装置と演算装置を有し、
該記憶装置により、探傷プローブで検出したデータポイントｉ（ｉ＝１，２，…，ｎ）に対応する前記磁束密度ＢｘとＢｚの生データを時系列的に記憶し、
前記演算装置により、交流磁場発生コイル、Ｂｘ測定コイル、及びＢｚ測定コイルの位置誤差により前記生データを補正し、次いで前記データを一定範囲の移動平均を取り細かなリップルを取る平滑化処理をしかつ初めの信号値、母材無欠陥部の信号値、信号波形の高次近似曲線、一定範囲の移動平均値などを基準とする基準化処理した基準化データを作成し、
該基準化データからz−x平面上において原点Ｏから点（Ｂz、Ｂx）までの磁束密度ベクトルＢ（z，x）をデータポイントｉ（ｉ＝１，２，…，ｎ）に対応して設定し、
データポイントｉとｉ＋１に対応する磁束密度ベクトルＢ（z，x）のベクトル積Ａを算出し、
該ベクトル積Ａが所定の閾値を超えるときに、傷等が存在すると判別する、ことを特徴とする請求項１に記載の探傷検査装置。
【請求項３】
前記データ解析装置は、更に画像表示装置を有し、該画像表示装置により、
前記ベクトル積Ａと、前記ベクトル積Ａが所定の閾値を超えるデータポイントを含む所定のデータポイント範囲の基準化データを、データポイントｉ（ｉ＝１，２，…，ｎ）との関係で表示する、ことを特徴とする請求項２に記載の探傷検査装置。
【請求項４】
前記ベクトル積Ａは、ベクトル外積値又は隣接する差分ベクトル内積値であり、
該ベクトル外積値を使用する場合はベクトルの方向（ベクトル外積値の正負）もきずの判定に使う、ことを特徴とする請求項２に記載の探傷検査装置。
【請求項５】
前記探傷プローブの位置センサは、被検体表面に接触してｙ軸方向の回転軸を中心に自由に回転可能な検出ローラと、該検出ローラを被検体表面に向けて伸縮可能に押付ける付勢装置と、検出ローラの回転量を検出するロータリエンコーダとからなる、ことを特徴とする請求項１に記載の探傷検査装置。
【請求項６】
前記探傷プローブは、前記データポイントと磁束密度ＢｘとＢｚの検出開始と検出終了を制御するための押釦スイッチを有する、ことを特徴とする請求項１に記載の探傷検査装置。
【請求項７】
前記探傷プローブは、検出ローラが押し付けられたときに検出を開始し、検出ローラが離れたときに検出を終了する構造のスイッチを有する、ことを特徴とする請求項１に記載の探傷検査装置。
【請求項８】
被検体表面のｘ軸方向に交流磁場を与えこれに直交する被検体表面のｙ軸方向に交流誘導電流を発生させ、前記交流誘導電流により発生するｘ軸方向の磁束密度Ｂｘとｚ軸方向の磁束密度Ｂｚを被検体表面に沿ったデータポイントと共に検出する探傷ステップと、
前記磁束密度ＢｘとＢｚをデータ解析して、被検体表面に存在する傷等の位置を検出するデータ解析ステップと、を備えたことを特徴とする交流電磁場測定法による探傷検査方法。
【請求項９】
前記データ解析ステップは、探傷プローブで検出したデータポイントｉ（ｉ＝１，２，…，ｎ）に対応する前記磁束密度ＢｘとＢｚの生データを時系列的に記憶する生データ記憶ステップと、
交流磁場発生コイル、Ｂｘ測定コイル、及びＢｚ測定コイルの位置誤差により前記生データを補正し、次いで前記データを一定範囲の移動平均を取り細かなリップルを取る平滑化処理をしかつ初めの信号値、母材無欠陥部の信号値、信号波形の高次近似曲線、一定範囲の移動平均値などを基準とする基準化処理した基準化データを作成する基準化データ作成ステップと、
該基準化データからz−x平面上において原点Ｏから点（Ｂz、Ｂx）までの磁束密度ベクトルＢ（z，x）をデータポイントｉ（ｉ＝１，２，…，ｎ）に対応して設定するベクトル設定ステップと、
データポイントｉとｉ＋１に対応する磁束密度ベクトルＢ（z，x）のベクトル積Ａを算出するベクトル積算出ステップと、
該ベクトル積Ａが所定の閾値を超えるときに、傷等が存在すると判別する傷判別ステップと、を有することを特徴とする請求項８に記載の探傷検査方法。
【請求項１０】
前記データ解析ステップは、前記ベクトル積Ａと、前記ベクトル積Ａが所定の閾値を超えるデータポイントを含む所定のデータポイント範囲の基準化データを、データポイントｉ（ｉ＝１，２，…，ｎ）との関係で表示する画像表示ステップを有する、ことを特徴とする請求項９に記載の探傷検査方法。
【請求項１１】
前記ベクトル積Ａは、ベクトル外積値又は隣接する差分ベクトル内積値であり、
該ベクトル外積値を使用する場合はベクトルの方向（ベクトル外積値の正負）もきずの判定に使う、ことを特徴とする請求項８に記載の探傷検査方法。
【請求項１２】
被検体表面に接触してｙ軸方向の回転軸を中心に自由に回転可能な検出ローラを被検体表面に向けて伸縮可能に押付け、ロータリエンコーダにより検出ローラの回転量を検出する、ことを特徴とする請求項８に記載の探傷検査方法。
【請求項１３】
探傷プローブに取付けられた押釦スイッチにより、前記データポイントと磁束密度ＢｘとＢｚの検出開始と検出終了を制御する、ことを特徴とする請求項８に記載の探傷検査方法。
【請求項１４】
探傷プローブに取付けられたスイッチにより、検出ローラが押し付けられたときに検出を開始し、検出ローラが離れたときに検出を終了する、ことを特徴とする請求項８に記載の探傷検査方法。
【請求項１５】
きずに直交してプローブを走査してＢｘ信号とＢｚ信号を取得し、この２つの信号を横軸にＢｚ信号、縦軸にＢｘ信号としてバタフライパターンをプロットし、該バタフライパターンがきずに平行にプローブ走査したバタフライパターンの中心点に対し点対称となる曲線を描くとき、きずを判定する、ことを特徴とする請求項８に記載の探傷検査方法。
【発明の詳細な説明】
【技術分野】
【０００１】
本発明は、交流電磁場測定法により表面の傷等を検査する探傷検査装置及び方法に関する。
【背景技術】
【０００２】
鉄道車両用の台車枠には大きな荷重がかかるため、長期間の使用により溶接箇所等に傷や亀裂が発生したり、微細な傷が大きな亀裂に成長することがある。そこで、台車枠の表面に存在する傷や亀裂を定期的に検査する必要がある。以下、傷、亀裂及び欠陥を単に「傷」又は「傷等」と呼ぶ。
【０００３】
従来、かかる台車枠の検査には、磁粉探傷法が主に採用されていた。磁粉探傷法は、表面あるいは表面近くに欠陥がある箇所を磁化してその表面に微細な磁粉を塗布すると、傷等の存在によって生じる漏洩磁束のために磁粉が欠陥部の表面に凝集吸引されて磁粉のパターンに乱れが生じることを利用したものである。
しかし、磁粉探傷法を適用する場合、検査箇所の塗装を剥がす必要があり、その前処理、後処理に多大な手間がかかる問題点があった。
【０００４】
そこで、渦電流探傷法を適用することが、例えば、［特許文献１］に提案されている。しかし、渦電流探傷法は、塗装を剥がさずに適用はできるが、検査箇所表面に発生する渦電流の傷等による乱れを同一の渦電流センサで検出するため、表面で発生するノイズの影響が大きく、傷等との識別が困難であった。また、傷等の大きさや深さをキャリブレーションで求める必要があり、経験が豊富な検査員でない限り、正確な判断ができない欠点があった。
【０００５】
一方、傷等の大きさや深さをキャリブレーションなしで求めることができる探傷検査法として、交流電磁場測定法（Ａｌｔｅｒｎａｔｉｎｇ  Ｃｕｒｒｅｎｔ  Ｆｉｅｌｄ  Ｍｅａｓｕｒｅｍｅｎｔ：以下、「ＡＣＦＭ」と略す）が［非特許文献１］で提案されている。
図１３は、ＡＣＦＭにおける座標系を示す図である。被検体１の表面に細長い開口傷２がある場合に、表面に沿って、傷２の方向をｘ、ｘに直交する方向をｙ、表面に直交する方向をｚと定義する。ｘ方向（傷の方向）に外部から交流磁場３を付与すると、傷に直交するｙ方向に交流誘導電流４が発生する。
【０００６】
図１４は、交流電磁場測定法の原理図である。図１３のように発生した交流誘導電流４により発生するｘ軸方向の磁束密度Ｂｘと、ｚ軸方向の磁束密度Ｂｚは、それぞれｘ軸を中心とするＢｘ測定コイルと、ｚ軸を中心とするＢｚ測定コイルで検出することができる。以下、これを「Ｂｘ成分」及び「Ｂｚ成分」と呼ぶ。
すなわち、交流誘導電流４は、傷２の存在により、ｘ方向の傷２の両端外側では電流密度が高く、傷の位置では電流密度が低くなるため、この図の（ｂ）に示すようにＢｘ成分は傷の両端外側で高く、傷の位置で低くなる。
同様に、交流誘導電流４は、傷２の存在により、ｘ方向の傷２の両端外側では外側に膨らんで流れるため、この図の（ｃ）に示すようにＢｚ成分は傷の一方では高く、他方では低くなる。
従って、Ｂｘ成分とＢｚ成分がこのような特性を示したときに、傷が存在すると判断でき、傷の大きさと深さをキャリブレーションなしで求めることができる。
【０００７】
図１５は、非特許文献１に開示されているデータ処理法の説明図である。試験体１及びその開口傷２が、試験片のような単純な形状である場合には、Ｂｘ成分及びＢｚ成分として、この図の（ａ）に示すような、典型的な波形が得られる。この場合、両成分の横軸は時間であり、検出速度により変化するため、同一の試験片であっても、検出毎に異なる波形が得られ、傷の識別が困難になる。
この図の（ｂ）は、横軸にＢｘ成分、縦軸にＢｚ成分をプロットしたもので、「バタフライプロット」と呼ばれる。このバタフライプロットは、時間成分がなくなるため、検出速度が変化しても、同一の試験片であれば、常に同一の波形が得られ、傷の識別が容易になる特徴がある。また、一般的に、傷があるとバタフライプロットは中心から離れた閉じた形状となること知られている。
【０００８】
非特許文献２は、上述した交流電磁場測定法を用いて傷の大きさと深さを解析する方法を開示している。この方法は、Ｂｚ成分を増加領域と減少領域に区分し、減少から増加に転じたデータから増加から減少に転じたデータまでを傷領域と判別し、この傷領域のＢｘ成分とＢｚ成分をｘ成分、z成分としてz−x座標に図１６のようにバタフライプロットを作成し、このプロットが囲む面積を計算して、その大きさにより傷の有無とその大きさと深さを計算するものである。
【０００９】
さらに、交流電位差測定法を用いた非破壊検査法として、特許文献２が開示されている。この方法は、上述したような傷の検出やその大きさと深さを検査する目的とは相違し、微細な亀裂が複数存在するような表面欠陥について、亀裂の平均深さ及び数を定量的に検査することを目的としたものである。
【００１０】
【非特許文献１】“ＴＨＥ  ＡＣＦＭ  ＴＥＣＨＮＩＱＵＥ”，ＴＳＣ  Ｉｎｓｐｅｃｔｉｏｎ  Ｓｙｓｔｅｍｓ，［平成１７年３月１４日検索］、インターネット＜ＵＲＬ：  1112925638984_0.htm
【非特許文献２】Ｊｉａｎｎｏｎｇ  Ｚｈｏｕ，ｅｔ  ａｌ．，“Ａｎ  ＡＣＦＭ  ａｕｔｏｍａｔｅｄ  Ｃｒａｃｋ  Ｄｅｔｅｃｔｉｏｎ  Ｓｙｓｔｅｍ  Ｄｅｐｌｏｙｅｄ  Ｖｙ  Ａｎ  Ｕｎｄｅｒｗａｔｅｒ  Ｒｏｖｉｎｇ  Ｖｅｈｉｃｌｅ”，ＮＤＴ．ｎｅｔ  Ｓｅｐｔｅｍｂｅｒ  ２００３，Ｖｏｌ．９  Ｎｏ．０９
【００１１】
【特許文献１】特開２００４−１１７１３８号公報、「鉄道車両用台車枠の探傷用センサーユニット及びこれを用いた探傷設備」
【特許文献２】特開平８−３１３４７３号公報、「亀裂深さの非破壊検査法及び亀裂数の非破壊検査法」
【発明の開示】
【発明が解決しようとする課題】
【００１２】
上述したように、交流電磁場測定法は、原理的には塗装を剥がさずに塗装の上から表面開口割れの検査ができる特徴を有する。しかし、試験片のような単純な形状でなく、例えば鉄道車両用の台車枠のように形状が複雑であり、かつ表面に起伏があるような複雑な溶接構造物の検査に適用した場合、形状、接触条件により様々な擬似信号が出現するため、上述したような典型的なＢｘ成分とＢｚ成分が得られることはほとんどなく、このため、熟練した検査員であっても欠陥の判別が依然として困難であった。
また、欠陥が判別できた場合でも、従来は時間に対して各信号が得られるため欠陥の位置を特定するのが困難であり、かつその大きさと深さの特定にも手間と時間がかかっていた。
【００１３】
本発明は、かかる従来の問題点を解決するために創案されたものである。すなわち、本発明の目的は、（１）被検体が台車枠のような複雑な溶接構造物であっても、ノイズや擬似信号の影響を低減することができ、（２）経験の少ない検査員によっても容易かつ確実に傷等を判別でき、（３）傷等の位置とその大きさ及び深さを容易かつ確実に求めることができる交流電磁場測定法による探傷検査装置及び方法を提供することにある。
【課題を解決するための手段】
【００１４】
本発明によれば、被検体表面のｘ軸方向に交流磁場を与えこれに直交する被検体表面のｙ軸方向に交流誘導電流を発生させる交流磁場発生コイルと、前記交流誘導電流により発生するｘ軸方向の磁束密度Ｂｘを検出するＢｘ測定コイルと、前記交流誘導電流により発生するｚ軸方向の磁束密度Ｂｚを検出するＢｚ測定コイルと、被検体表面に沿ってデータポイントを検出する位置センサとを有する探傷プローブと、
該探傷プローブに交流磁場を与え、前記磁束密度ＢｘとＢｚを出力する交流電磁場測定装置と、
前記磁束密度ＢｘとＢｚをデータ解析して、被検体表面に存在する傷等の位置を検出するデータ解析装置と、を備えたことを特徴とする交流電磁場測定法による探傷検査装置が提供される。
【００１５】
本発明の好ましい実施形態によれば、前記データ解析装置は、記憶装置と演算装置を有し、
該記憶装置により、探傷プローブで検出したデータポイントｉ（ｉ＝１，２，…，ｎ）に対応する前記磁束密度ＢｘとＢｚの生データを時系列的に記憶し、
前記演算装置により、交流磁場発生コイル、Ｂｘ測定コイル、及びＢｚ測定コイルの位置誤差により前記生データを補正し、次いで前記データを一定範囲の移動平均を取り細かなリップルを取る平滑化処理をしかつ初めの信号値、母材無欠陥部の信号値、信号波形の高次近似曲線、一定範囲の移動平均値などを基準とする基準化処理した基準化データを作成し、
該基準化データからz−x平面上において原点Ｏから点（Ｂz、Ｂx）までの磁束密度ベクトルＢ（z，x）をデータポイントｉ（ｉ＝１，２，…，ｎ）に対応して設定し、
データポイントｉとｉ＋１に対応する磁束密度ベクトルＢ（z，x）の外積の絶対値Ａを算出し、
該ベクトル積Ａが所定の閾値を超えるときに、傷等が存在すると判別する。
【００１６】
前記データ解析装置は、更に画像表示装置を有し、該画像表示装置により、
前記ベクトル積Ａと、前記ベクトル積Ａが所定の閾値を超えるデータポイントを含む所定のデータポイント範囲の基準化データを、データポイントｉ（ｉ＝１，２，…，ｎ）との関係で表示する。
前記ベクトル積Ａは、ベクトル外積値又は隣接する差分ベクトル内積値であり、
該ベクトル外積値を使用する場合はベクトルの方向（ベクトル外積値の正負）もきずの判定に使う、のがよい。
【００１７】
前記探傷プローブの位置センサは、被検体表面に接触してｙ軸方向の回転軸を中心に自由に回転可能な検出ローラと、該検出ローラを被検体表面に向けて伸縮可能に押付ける付勢装置と、検出ローラの回転量を検出するロータリエンコーダとからなる。
【００１８】
前記探傷プローブは、前記データポイントと磁束密度ＢｘとＢｚの検出開始と検出終了を制御するための押釦スイッチを有する。
前記探傷プローブは、検出ローラが押し付けられたときに検出を開始し、検出ローラが離れたときに検出を終了する構造のスイッチを有してもよい。
【００１９】
また本発明によれば、被検体表面のｘ軸方向に交流磁場を与えこれに直交する被検体表面のｙ軸方向に交流誘導電流を発生させ、前記交流誘導電流により発生するｘ軸方向の磁束密度Ｂｘとｚ軸方向の磁束密度Ｂｚを被検体表面に沿ったデータポイントと共に検出する探傷ステップと、
前記磁束密度ＢｘとＢｚをデータ解析して、被検体表面に存在する傷等の位置を検出するデータ解析ステップと、を備えたことを特徴とする交流電磁場測定法による探傷検査方法が提供される。
【００２０】
本発明の好ましい実施形態によれば、前記データ解析ステップは、探傷プローブで検出したデータポイントｉ（ｉ＝１，２，…，ｎ）に対応する前記磁束密度ＢｘとＢｚの生データを時系列的に記憶する生データ記憶ステップと、
交流磁場発生コイル、Ｂｘ測定コイル、及びＢｚ測定コイルの位置誤差により前記生データを補正し、次いで前記データを一定範囲の移動平均を取り細かなリップルを取る平滑化処理をしかつ初めの信号値、母材無欠陥部の信号値、信号波形の高次近似曲線、一定範囲の移動平均値などを基準とする基準化処理した基準化データを作成する基準化データ作成ステップと、
該基準化データからz−x平面上において原点Ｏから点（Ｂz、Ｂx）までの磁束密度ベクトルＢ（z，x）をデータポイントｉ（ｉ＝１，２，…，ｎ）に対応して設定するベクトル設定ステップと、
データポイントｉとｉ＋１に対応する磁束密度ベクトルＢ（z，x）のベクトル積Ａを算出するベクトル積算出ステップと、
該ベクトル積Ａが所定の閾値を超えるときに、傷等が存在すると判別する傷判別ステップと、を有する。
【００２１】
前記データ解析ステップは、前記ベクトル積Ａと、前記ベクトル積Ａが所定の閾値を超えるデータポイントを含む所定のデータポイント範囲の基準化データを、データポイントｉ（ｉ＝１，２，…，ｎ）との関係で表示する画像表示ステップを有する。
前記ベクトル積Ａは、ベクトル外積値又は隣接する差分ベクトル内積値であり、
該ベクトル外積値を使用する場合はベクトルの方向（ベクトル外積値の正負）もきずの判定に使う、ことが好ましい。
【００２２】
被検体表面に接触してｙ軸方向の回転軸を中心に自由に回転可能な検出ローラを被検体表面に向けて伸縮可能に押付け、ロータリエンコーダにより検出ローラの回転量を検出する。
【００２３】
探傷プローブに取付けられた押釦スイッチにより、前記データポイントと磁束密度ＢｘとＢｚの検出開始と検出終了を制御する。
また、探傷プローブに取付けられたスイッチにより、検出ローラが押し付けられたときに検出を開始し、検出ローラが離れたときに検出を終了してもよい。
さらに、きずに直交してプローブを走査してＢｘ信号とＢｚ信号を取得し、この２つの信号を横軸にＢｚ信号、縦軸にＢｘ信号としてバタフライパターンをプロットし、該バタフライパターンがきずに平行にプローブ走査したバタフライパターンの中心点に対し点対称となる曲線を描くとき、きずを判定する、ことが好ましい。
【発明の効果】
【００２４】
上記本発明の装置及び方法によれば、磁束密度ＢｘとＢｚをデータ解析して、磁束密度ベクトルＢ（z，x）のベクトル積Ａを算出し、ベクトル積Ａが所定の閾値を超えるときに、傷等が存在すると判別するので、被検体が台車枠のような複雑な溶接構造物であっても、ノイズや擬似信号の影響を低減することができ、経験の少ない検査員によっても容易かつ確実に傷等を判別できる。
また、ベクトル積Ａと、ベクトル積Ａが所定の閾値を超えるデータポイントを含む所定のデータポイント範囲の基準化データを、データポイントｉ（ｉ＝１，２，…，ｎ）との関係で表示するので、この表示データから傷等の位置とその大きさ及び深さを容易かつ確実に求めることができる。
さらに、本発明により、鉄道車両用の台車枠の検査にＡＣＦＭ法を簡便に適用することが可能となり、従来の塗装を剥がして磁粉探傷を行なう方式から、塗装を剥がさずに検査ができるため、検査の効率化と、クリーン化が図れる。
また、検査記録が電子データとして残されるために、記録の管理及び履歴の管理が簡便になる。
また、ベクトル積を使用した自動判別が可能である。
なお、本発明は、鉄道車両用の台車枠のみならず鋼構造物等で、塗装を剥がして検査を行なっている構造物に適用可能である。
【発明を実施するための最良の形態】
【００２５】
以下、本発明の好ましい実施形態を図面を参照して説明する。なお各図において、共通する部分には同一の符号を付し、重複した説明は省略する。
【００２６】
図１は、本発明による探傷検査装置の全体構成図であり、図２は図１の探傷プローブ拡大図、図３は探傷プローブに取付けた位置センサの拡大図である。
図１に示すように、本発明の探傷検査装置は、探傷プローブ１０、交流電磁場測定装置２０、及びデータ解析装置３０を備える。
【００２７】
図２おいて探傷プローブ１０は、被検体表面１ａに接触させるプローブ先端部１１の内部に、交流磁場発生コイル１２、Ｂｘ測定コイル１３及びＢｚ測定コイル１４を内蔵する。プローブ先端部１１は、内部を磁場が透過しやすい非磁性体からなるのがよい。
なおこの図において、紙面に直交する方向をｘ軸方向、これに直交する水平方向をｙ軸方向、被検体表面１ａに直交する方向をｚ軸方向と定義する。
【００２８】
交流磁場発生コイル１２は、ｘ軸方向を軸心とするコイルであり、被検体表面１ａのｘ軸方向に交流磁場２を与えこれに直交する被検体表面のｙ軸方向に交流誘導電流３を発生させる機能を有する。
Ｂｘ測定コイル１３は、被検体表面１ａに発生した交流誘導電流３により発生するｘ軸方向の磁束密度Ｂｘを検出する機能を有する。
Ｂｚ測定コイル１４は、被検体表面１ａに発生した交流誘導電流３により発生するｚ軸方向の磁束密度Ｂｚを検出する機能を有する。
交流磁場発生コイル１２、Ｂｘ測定コイル１３、及びＢｚ測定コイル１４は、機能を阻害しない限りで、できるだけ近接して設置するのがよい。また相互間の位置誤差は、データ解析装置３０により補正するようになっている。
【００２９】
探傷プローブ１０は、更に、押釦スイッチ１６と位置センサ１８を有する。
押釦スイッチ１６は、探傷プローブ１０の側面に取り付けられたスタートスイッチ１６ａとストップスイッチ１６ｂとからなり、スタートスイッチ１６ａを押す（ＯＮ）することにより、探傷プローブ１０によりデータポイントと磁束密度ＢｘとＢｚの検出を開始し、ストップスイッチ１６ｂを押す（ＯＦＦ）することにより、検出を終了させるようになっている。押釦スイッチ１６は、好ましくは、シートスイッチである。
この構成により、探傷プローブ１０を検査員が片手で持ち、被検体表面に沿ってプローブ先端部１１を接触させて移動させながら、押釦スイッチ１６により自由な位置で検出を開始しかつ終了させることができる。
また探傷プローブ１０に取付けられたスイッチにより、後述する検出ローラ１８ａが押し付けられたときに検出を開始し、検出ローラが離れたときに検出を終了してもよい。
【００３０】
位置センサ１８は、プローブ先端部１１の側面に取付けられ、被検体表面に沿ってプローブ先端部１１によるデータポイントを検出する機能を有する。
図３に示すように、この位置センサ１８は、検出ローラ１８ａ、付勢装置１８ｂ及びロータリエンコーダ１８ｃとからなる。
検出ローラ１８ａは、好ましくはｙ軸方向の回転軸を中心に自由に回転可能な円筒形部材であり、被検体表面１ａに接触して滑ることなく自由に回転できる。また付勢装置１８ｂは、例えば圧縮ばねであり、検出ローラ１８ａの回転支持部を被検体表面１ａに向けて伸縮可能に押付ける。さらにロータリエンコーダ１８ｃは、検出ローラ１８ａの回転量（移動距離）を検出するように構成されている。
この構成により、探傷プローブ１０を検査員が片手で持ち、被検体表面に沿ってプローブ先端部１１を接触させて移動させると、検出ローラ１８ａが被検体表面に所定の押付力で押付けられ、被検体表面の起伏に付勢装置１８ｂで追従しながら、検出ローラ１８ａが被検体表面１ａに接触して滑ることなく回転し、検出ローラ１８ａの回転量（移動距離）を検出することができる。
【００３１】
図１において、交流電磁場測定装置２０は、細長いフレキシブルコード２１で、探傷プローブ１０に電気的に接続されており、探傷プローブ１０の交流磁場発生コイル１２に交流電流を印加し、Ｂｘ測定コイル１３及びＢｚ測定コイル１４で検出した磁束密度ＢｘとＢｚを出力するようになっている。
また、押釦スイッチ１６及び位置センサ１８の信号線もフレキシブルコード２１を介して交流電磁場測定装置２０に接続され、押釦スイッチ１６により交流電磁場測定装置２０の作動を制御し、同時に位置センサ１８によるデータポイントを交流電磁場測定装置２０に入力するようになっている。
さらに、交流電磁場測定装置２０は、出力ケーブル２２を介してデータ解析装置３０に接続され、Ｂｘ測定コイル１３及びＢｚ測定コイル１４で検出した磁束密度ＢｘとＢｚ、押釦スイッチ１６及び位置センサ１８の信号をデータ解析装置３０に出力するようになっている。
また、探傷プローブ１０は、検出ローラ１８ａが押し付けられたときに検出を開始し、検出ローラが離れたときに検出を終了する構造のスイッチを有するのが好ましい。
【００３２】
データ解析装置３０は、磁束密度ＢｘとＢｚをデータ解析して、被検体表面１ａに存在する傷等２の位置を検出する機能を有する。図１に示すように、データ解析装置３０は、記憶装置３２、演算装置３４および画像表示装置３６を有する。
記憶装置３２は、ＨＤ、ＲＯＭ、ＲＡＭ、その他の記憶媒体であり、探傷プローブ１０で検出したデータポイントｉ（ｉ＝１，２，…，ｎ）に対応する磁束密度ＢｘとＢｚの生データを時系列的に記憶すると共に、データ解析用のプログラムと、データ解析に伴って形成される各データを記憶する。
【００３３】
演算装置３４は、例えばコンピュータであり、データ解析用プログラムの実行により、交流磁場発生コイル１２、Ｂｘ測定コイル１３、及びＢｚ測定コイル１４の位置誤差（取付位置のズレ）をデータポイントを用いて補正し、探傷プローブ１０で検出した生データを同一のデータポイントに対応するように補正する。次いで前記データを一定範囲の移動平均を取り細かなリップルを取る平滑化処理をしかつ初めの信号値、母材無欠陥部の信号値、信号波形の高次近似曲線、一定範囲の移動平均値などを基準とする基準化処理した基準化データを作成する。
この補正により、相互間の位置誤差を無くし、位置センサ１８のデータポイントと各コイルによる検出データを正確に対応させることができる。
また、この平滑化処理により、ノイズや擬似信号による、高周波成分を除去し、微細な凹凸をなくすことができる。
さらに、基準化処理により、磁束密度ベクトルＢ（z，x）の起点を原点Ｏに設定することができる。
【００３４】
さらに、演算装置３４は、作成した基準化データからz−x平面上において原点Ｏから点（Ｂz、Ｂx）までの磁束密度ベクトルＢ（z，x）をデータポイントｉ（ｉ＝１，２，…，ｎ）に対応して設定し、データポイントｉとｉ＋１に対応する磁束密度ベクトルＢ（z，x）のベクトル積Ａを算出し、ベクトル積Ａが所定の閾値を超えるときに、傷等が存在すると判別するようになっている。
この磁束密度ベクトルＢ（z，x）は、原点Ｏを起点とすることから、傷がまったくない場合には、原点近傍に集中するベクトルであり、ベクトル積Ａは０に近い値または０以下の値になる。これに対して、傷がある場合、ベクトルは、原点Ｏから長く伸び、隣接するベクトルのベクトル積Ａも増大する。
従って、ベクトル積Ａが所定の閾値を超えるときに、傷等が存在すると判別することにより、容易に傷等を判別することができる。
【００３５】
画像表示装置３６は、例えばタッチパネル方式の液晶表示装置であり、ベクトル積Ａと、ベクトル積Ａが所定の閾値を超えるデータポイントを含む所定のデータポイント範囲の基準化データを、データポイントｉ（ｉ＝１，２，…，ｎ）との関係図として画像表示するようになっている。
この構成により、ベクトル積Ａが所定の閾値を超えるときに、傷等の影響を受ける所定のデータポイント範囲の基準化データを、データポイントｉ（ｉ＝１，２，…，ｎ）との関係で画像表示できるので、「Ｂｘ成分」と「Ｂｚ成分」をノイズや擬似信号を除去した純粋な波形として正確に把握することができる。
さらにこの波形に基づき、その大きさ及び深さを容易かつ確実に求めることができる。
【００３６】
なおこの画像表示装置３６は、さらに、磁束密度ＢｘとＢｚの生データ、その基準化データ、磁束密度ベクトルＢ（z，x）をデータポイントｉ（ｉ＝１，２，…，ｎ）との関係図、或いはバタフライプロットとして、同時に或いは選択的に表示するようになっているのがよい。
【００３７】
図４は、本発明による探傷検査方法のフロー図である。この図に示すように、本発明の探傷検査方法は、探傷ステップＳ１とデータ解析ステップＳ２とからなる。
探傷ステップＳ１では、ステップＳ１１において、被検体表面１ａのｘ軸方向に交流磁場２を与え、これに直交する被検体表面のｙ軸方向に交流誘導電流２を発生させる。さらに、ステップＳ１２において、交流誘導電流２により発生するｘ軸方向の磁束密度Ｂｘとｚ軸方向の磁束密度Ｂｚを被検体表面１ａに沿ったデータポイントと共に検出する。
なお、探傷プローブ１０に取付けられた押釦スイッチ１６により、データポイントと磁束密度ＢｘとＢｚの検出開始と検出終了を制御し、ステップＳ１１とステップＳ１２を、同時に行うのがよい。
また、データポイントは、ｙ軸方向の回転軸を中心に自由に回転可能な検出ローラ１８ａを被検体表面１ａに向けて伸縮可能に押付け、ロータリエンコーダ１８ｃにより検出ローラの回転量から検出する。
なお、探傷プローブ１０は、検出ローラ１８ａが押し付けられたときに検出を開始し、検出ローラが離れたときに検出を終了する構造のスイッチを有し、探傷プローブに取付けられたスイッチにより、検出ローラが押し付けられたときに検出を開始し、検出ローラが離れたときに検出を終了するのが好ましい。
【００３８】
データ解析ステップＳ２は、生データ記憶ステップＳ２１、基準化データ作成ステップＳ２２、ベクトル設定ステップＳ２３、ベクトル積算出ステップＳ２４、傷判別ステップＳ２５、及び画像表示ステップＳ２６からなる。
生データ記憶ステップＳ２１では、探傷プローブ１０で検出したデータポイントｉ（ｉ＝１，２，…，ｎ）に対応する磁束密度ＢｘとＢｚの生データを時系列的に記憶する。
【００３９】
基準化データ作成ステップＳ２２では、交流磁場発生コイル１２、Ｂｘ測定コイル１３、及びＢｚ測定コイル１４の位置誤差（取付位置のズレ）をデータポイントを用いて補正し、探傷プローブ１０で検出した生データを同一のデータポイントに対応するように補正する。次いで前記データを一定範囲の移動平均を取り細かなリップルを取る平滑化処理をしかつ初めの信号値、母材無欠陥部の信号値、信号波形の高次近似曲線、一定範囲の移動平均値などを基準とする基準化処理した基準化データを作成する。
この平滑化処理では、例えば、データポイントｉ（ｉ＝１，２，…，ｎ）に対応する生データを位置誤差修正し、５点平滑化処理している。
この補正により、相互間の位置誤差を無くし、位置センサ１８のデータポイントと各コイルによる検出データを正確に対応させることができる。
また、この平滑化処理により、ノイズや擬似信号による、高周波成分を除去し、微細な凹凸をなくすことができる。
さらに、基準化処理により、磁束密度ベクトルＢ（z，x）の起点を原点Ｏに設定することができる。
【００４０】
ベクトル設定ステップＳ２３では、作成した基準化データからz−x平面上において原点Ｏから点（Ｂz、Ｂx）までの磁束密度ベクトルＢ（z，x）をデータポイントｉ（ｉ＝１，２，…，ｎ）に対応して設定する。
【００４１】
ベクトル積算出ステップＳ２４では、データポイントｉとｉ＋１に対応する磁束密度ベクトルＢ（z，x）のベクトル積Ａを算出する。
【００４２】
傷判別ステップＳ２５では、ベクトル積Ａが所定の閾値を超えるときに、傷等が存在すると判別する。
磁束密度ベクトルＢ（z，x）は、原点Ｏを起点とすることから、傷がまったくない場合には、原点近傍に集中するベクトルであり、ベクトル積Ａは０に近い値または０以下の値になる。これに対して、傷がある場合、ベクトルは、原点Ｏから長く伸び、隣接するベクトルのベクトル積Ａも増大する。
従って上述したデータ解析ステップＳ２により、磁束密度ＢｘとＢｚをデータ解析して、被検体表面に存在する傷等の位置を容易に検出することができる。
【００４３】
画像表示ステップＳ２６では、ベクトル積Ａが所定の閾値を超えるデータポイントを含む所定のデータポイント範囲の基準化データを、データポイントｉ（ｉ＝１，２，…，ｎ）との関係で表示する。
【００４４】
上述した本発明の装置及び方法によれば、磁束密度ＢｘとＢｚをデータ解析して、磁束密度ベクトルＢ（z，x）のベクトル積Ａを算出し、ベクトル積Ａが所定の閾値を超えるときに、傷等が存在すると判別するので、被検体が台車枠のような複雑な溶接構造物であっても、ノイズや擬似信号の影響を低減することができ、経験の少ない検査員によっても容易かつ確実に傷等を判別できる。
また、ベクトル積Ａと、ベクトル積Ａが所定の閾値を超えるデータポイントを含む所定のデータポイント範囲の基準化データを、データポイントｉ（ｉ＝１，２，…，ｎ）との関係で表示するので、この表示データから傷等の位置とその大きさ及び深さを容易かつ確実に求めることができる。
さらに、本発明により、鉄道車両用の台車枠の検査にＡＣＦＭ法を簡便に適用することが可能となり、従来の塗装を剥がして磁粉探傷を行なう方式から、塗装を剥がさずに検査ができるため、検査の効率化と、クリーン化が図れる。
また、検査記録が電子データとして記憶装置３２に記憶されるために、記録の管理及び履歴の管理も簡便になる。
【実施例１】
【００４５】
図５は、本発明の第１実施例の結果を示す図である。この例は、被検体表面が平坦部であり、その母材に欠陥部がある場合である。
図５（ａ）は、探傷ステップＳ１で検出されたデータポイント（データポイント）と磁束密度ＢｘとＢｚの生データとの関係図である。この図に示すように、実際の計測では、様々な擬似信号が出現するため、典型的なＢｘ成分とＢｚ成分が得られず、欠陥の判別が非常に困難であることがわかる。
図５（ｂ）は、図５（ａ）から作成した従来のバタフライプロットである。このバタフライプロットは、左右に広がった扁平した分布となっており、このため、熟練した検査員であってもこの図からの欠陥の判別は困難であることがわかる。
【００４６】
図５（ｃ）は、本発明の基準化データ作成ステップＳ２２により作成した基準化データである。この例では、データポイントｉ（ｉ＝１，２，…，ｎ）に対応する生データを位置誤差修正し、５点平滑化処理している。
この図から、生データの波形形状をそのまま残しながら、ノイズや擬似信号による微細な凹凸が除去されているのがわかる。
なお基準化データは、初めの信号値、母材無欠陥部の信号値、信号波形の高次近似曲線、一定範囲の移動平均値などを基準とすることができる。
図５（ｄ）は、図５（ｃ）から作成したバタフライプロットである。このバタフライプロットは、原点Ｏを中心に円形に近い分布となっており、典型的なＢｘ成分とＢｚ成分に近い分布となっていることがわかる。
図５（ｅ）は、ベクトル積算出ステップＳ２４により作成したデータポイントに対応するベクトル積Ａとの関係図である。この図において、ベクトル積Ａは、外積ベクトル値である。
この図から、例えば、閾値を約１０に設定することにより、データポイントの約２０前後と８０〜１００に閾値を超える箇所があり、傷等が存在すると判別することが容易にできる。
【００４７】
なお、図５（ｆ）（ｇ）（ｈ）は、傷がない健全部における図５（ｃ）（ｄ）（ｅ）に対応する図である。これらの図から、健全部では、基準化データはほとんどフラットとなり、バタフライプロットは原点近傍に集中し、ベクトル積Ａ（外積ベクトル値）は全域でほとんど０かそれ以下の値になることがわかる。
以上の結果から、健全部では傷がないことを容易かつ確実に判別でき、また傷がある場合には、その傷を容易かつ確実に判別できることがわかる。
【００４８】
図６（ａ）（ｂ）は、ベクトル積Ａとして差分内積ベクトル値を用いた例であり、それぞれ、図５（ｅ）と図５（ｈ）に対応する図である。これらの図から、ベクトル積Ａとして差分内積ベクトル値を用いた場合でも、閾値を適切（この例では約４）に設定することにより、外積ベクトル値を用いた場合と同様に、データポイントの約２０前後と８０〜１００に閾値を超える箇所があり、傷等が存在すると判別することが容易にできる。
【実施例２】
【００４９】
図７は、本発明の第２実施例の結果を示す図である。この例は、被検体表面が平坦部であり、その溶接止端部に欠陥部がある場合である。
図７（ａ）は、探傷ステップＳ１で検出されたデータポイント（データポイント）と磁束密度ＢｘとＢｚの生データとの関係図である。この図に示すように、実際の計測では、様々な擬似信号が出現するため、典型的なＢｘ成分とＢｚ成分が得られず、欠陥の判別が非常に困難であることがわかる。
図７（ｂ）は、図７（ａ）から作成した従来のバタフライプロットである。このバタフライプロットは、右下部分に細長く集中した分布となっており、熟練した検査員であってもこの図からの欠陥の判別は困難であることがわかる。
【００５０】
図７（ｃ）は、本発明の基準化データ作成ステップＳ２２により作成した基準化データである。この基準化データは、初めの信号値、母材無欠陥部の信号値、信号波形の高次近似曲線、一定範囲の移動平均値などを基準とすることができる。
この例では、データポイントｉ（ｉ＝１，２，…，ｎ）に対応する生データを位置誤差修正し、５点平滑化処理している。この図から、生データの波形形状をそのまま残しながら、ノイズや擬似信号による微細な凹凸が除去されているのがわかる。
図７（ｄ）は、図７（ｃ）から作成したバタフライプロットである。このバタフライプロットは、原点Ｏを中心に円形に近い分布となっており、典型的なＢｘ成分とＢｚ成分に近い分布となっていることがわかる。
図７（ｅ）は、ベクトル積算出ステップＳ２４により作成したデータポイントに対応するベクトル積Ａとの関係図である。この図において、ベクトル積Ａは、外積ベクトル値である。
この図から、例えば、閾値を約１０に設定することにより、データポイントの約３０付近と７０〜９０に閾値を超える箇所があり、傷等が存在すると判別することが容易にできる。
【００５１】
なお、図７（ｆ）（ｇ）（ｈ）は、傷がない健全部における図７（ｃ）（ｄ）（ｅ）に対応する図である。これらの図から、健全部では、基準化データはほとんどフラットとなり、バタフライプロットは原点近傍に集中し、ベクトル積Ａ（外積ベクトル値）は全域でほとんど０かそれ以下の値になることがわかる。
以上の結果から、健全部では傷がないことを容易かつ確実に判別でき、また傷があう場合には、その傷を容易かつ確実に判別できることがわかる。
【００５２】
図８（ａ）（ｂ）は、ベクトル積Ａとして差分内積ベクトル値を用いた例であり、それぞれ、図７（ｅ）と図７（ｈ）に対応する図である。これらの図から、ベクトル積Ａとして差分内積ベクトル値を用いた場合でも、閾値を適切（この例では約４）に設定することにより、外積ベクトル値を用いた場合と同様に、データポイントの約３０付近と７０〜９０に閾値を超える箇所があり、傷等が存在すると判別することが容易にできる。
【実施例３】
【００５３】
図９は、本発明の第３実施例の結果を示す図である。この例は、被検体表面が曲線部であり、その溶接止端部に欠陥部がある場合である。
図９（ａ）は、探傷ステップＳ１で検出されたデータポイント（データポイント）と磁束密度ＢｘとＢｚの生データとの関係図である。この例では、特にＢｚ成分の上下動が大きく、欠陥の判別が非常に困難であることがわかる。
図９（ｂ）は、図９（ａ）から作成した従来のバタフライプロットである。このバタフライプロットは、蝶が羽を広げたような広く広がった分布となっており、この場合もこの図からの欠陥の判別は困難であることがわかる。
【００５４】
図９（ｃ）は、本発明の基準化データ作成ステップＳ２２により作成した基準化データである。この基準化データは、初めの信号値、母材無欠陥部の信号値、信号波形の高次近似曲線、一定範囲の移動平均値などを基準とすることができる。
この例では、データポイントｉ（ｉ＝１，２，…，ｎ）に対応する生データを位置誤差修正し、５点平滑化処理している。この図から、生データの波形形状をそのまま残しながら、上下動が低減されているのがわかる。
図９（ｄ）は、図９（ｃ）から作成したバタフライプロットである。このバタフライプロットは、原点Ｏを中心に楕円に近い分布となっており、典型的なＢｘ成分とＢｚ成分とは若干相違する分布となっていることがわかる。
図９（ｅ）は、ベクトル積算出ステップＳ２４により作成したデータポイントに対応するベクトル積Ａとの関係図である。この図において、ベクトル積Ａは、外積ベクトル値である。
この図から、例えば、閾値を約２０に設定することにより、データポイントの２５〜３５に閾値を超える箇所があり、傷等が存在すると判別することが容易にできる。
【００５５】
なお、図９（ｆ）（ｇ）（ｈ）は、傷がない健全部における図９（ｃ）（ｄ）（ｅ）に対応する図である。これらの図から、健全部では、基準化データは完全なフラットにはならないが、バタフライプロットは原点近傍にほぼ集中し、ベクトル積Ａ（外積ベクトル値）は全域でほとんど１０以下となることがわかる。
以上の結果から、健全部では傷がないことを容易かつ確実に判別でき、また傷があう場合には、その傷を容易かつ確実に判別できることがわかる。
【００５６】
図１０（ａ）（ｂ）は、ベクトル積Ａとして差分内積ベクトル値を用いた例であり、それぞれ、図９（ｅ）と図９（ｈ）に対応する図である。これらの図から、ベクトル積Ａとして差分内積ベクトル値を用いた場合でも、閾値を適切（この例では約１４）に設定することにより、外積ベクトル値を用いた場合と同様に、データポイントの２５〜３５に閾値を超える箇所があり、傷等が存在すると判別することが容易にできる。
【実施例４】
【００５７】
図１１と図１２は、本発明の第４実施例の結果を示す図である。この例は、被検体表面が平坦部であり、その母材に欠陥部がある場合である。
図１１（ａ）は、探傷ステップＳ１で検出されたデータポイント（データポイント）と磁束密度Ｂｘの関係図（生データ）、図１２（ａ）とデータポイントとＢｚの関係図（生データ）である。この例では、Ｂｘ成分、Ｂｚ成分の両方とも上下動が大きく、欠陥の判別が不可能であることがわかる。
図１１（ｂ）、図１２（ｂ）の下部の曲線（細線）は、本発明により作成したベクトル積Ａのプロット図である。
また、その上の直線（細線）は、ベクトル積Ａの閾値が、３０であることを示している。
更に、その上の曲線（実線）は、ベクトル積Ａが閾値３０を超えるデータポイントを含む所定のデータポイント範囲（矢印で示す）の基準化データを、データポイントｉ（ｉ＝１，２，…，ｎ）との関係で表示したものである。またこの場合、データポイント範囲以外の基準化データは、０としている。
【００５８】
図１１（ｂ）、図１２（ｂ）の下部の曲線（細線）から、データポイントの約３５近傍と約１００近傍に閾値を超える箇所があり、傷等が存在すると判別することが容易にできる。
【００５９】
また、図１１（ｂ）、図１２（ｂ）の上部の曲線（実線）から、基準化データのうち傷に関連するデータのみを明確に示すことができ、この波形に基づき、その大きさ及び深さを容易かつ確実に求めることができる。
【００６０】
本発明の発明者等は上述した実施例の他にも、台車枠を用いてその表面に存在する傷を、本発明の装置を用いて検出する様々な試験を実施した。
その結果、本発明の装置及び方法は、平面上の傷に沿って検出する典型的な例に限定されず、被検体表面が湾曲している場合、被検体表面に溶接部がある場合、傷の方向に対し、直角又は斜めに検出する場合でも、容易かつ確実に傷等を判別できることが確認された。
特に、きずに直交してプローブを走査してＢｘ信号とＢｚ信号を取得し、この２つの信号を横軸にＢｚ信号、縦軸にＢｘ信号としてバタフライパターンをプロットし、このバタフライパターンがきずに平行にプローブ走査したバタフライパターンの中心点に対し点対称となる曲線を描くとき、きずを判定することができることが確認された。
【００６１】
上述したように、本発明は、ベクトルの外積を利用したフィルタリング機能により、ソフト的に形状あるいは接触条件による擬似信号を除去するものである。
またこの機能を生かすために、従来の時間ベースのデータ採取を、探傷距離ベースのデータ採取とするために、小型のエンコーダユニットを用いている。
さらにこれらのデータ表示を検査員にわかり易く表示する画面を用いている。
また、鉄道車両用の台車枠の検査部位及び検査履歴表示ソフトも組込んである。
【００６２】
なお、本発明は、上述した実施形態に限定されず、本発明の要旨を逸脱しない範囲で種々に変更することができることは勿論である。例えば、本発明は、鉄道車両用の台車枠に限定されず、塗装を剥がして検査を行なっている鋼構造物等に同様に適用可能である。
【図面の簡単な説明】
【００６３】
【図１】本発明による探傷検査装置の全体構成図である。
【図２】図１の探傷プローブ拡大図である。
【図３】探傷プローブに取り付けた位置センサの拡大図である。
【図４】本発明の探傷検査方法のフロー図である。
【図５】本発明の第１実施例の結果を示す図である。
【図６】第１実施例において差分内積ベクトル値を用いた結果を示す図である。
【図７】本発明の第２実施例の結果を示す図である。
【図８】第２実施例において差分内積ベクトル値を用いた結果を示す図である。
【図９】本発明の第３実施例の結果を示す図である。
【図１０】第３実施例において差分内積ベクトル値を用いた結果を示す図である。
【図１１】本発明の第４実施例の結果を示すＢｘ成分の図である。
【図１２】本発明の第４実施例の結果を示すＢｚ成分の図である。
【図１３】ＡＣＦＭにおける座標系を示す図である。
【図１４】交流電磁場測定法の原理図である。
【図１５】非特許文献１に開示されているデータ処理法の説明図である。
【図１６】非特許文献２に開示されているデータ処理法の説明図である。
【符号の説明】
【００６４】
１  被検体、１ａ  被検体表面、２  開口傷、
３  交流磁場、４  交流誘導電流、
１０  探傷プローブ、
１１  プローブ先端部、１２  交流磁場発生コイル、
１３  Ｂｘ測定コイル、１４  Ｂｚ測定コイル、
１６  押釦スイッチ、１６ａ  スタートスイッチ、
１６ｂ  ストップスイッチ、１８  位置センサ、
１８ａ  検出ローラ、１８ｂ  付勢装置、１８ｃ  ロータリエンコーダ、
２０  交流電磁場測定装置、２１  フレキシブルコード、２２  出力ケーブル、
３０  データ解析装置、３２  記憶装置、
３４  演算装置、３６  画像表示装置
【図１】
2006292496.tif 000003
【図２】
2006292496.tif 000004
【図３】
2006292496.tif 000005
【図４】
2006292496.tif 000006
【図５】
2006292496.tif 000007
【図６】
2006292496.tif 000008
【図７】
2006292496.tif 000009
【図８】
2006292496.tif 000010
【図９】
2006292496.tif 000011
【図１０】
2006292496.tif 000012
【図１１】
2006292496.tif 000013
【図１２】
2006292496.tif 000014
【図１３】
2006292496.tif 000015
【図１４】
2006292496.tif 000016
【図１５】
2006292496.tif 000017
【図１６】
2006292496.tif 000018